(57)【要約】      （修正有）【課題】乗降口からエスカレータに乗降する際に、乗り降りするタイミングを光と音で知らせる乗降用支援装置に関する。【解決手段】エスカレータ２の乗口３の台３ａから外部に現れるステップ５の位置に対して、待機や進め等の複数段階の指示を外部表示手段で外部表示し、エスカレータの乗口の台から徐々に全長が現れて第１段となるステップに乗るタイミングを知らせたり、エスカレータの降口の台に収納されていくステップの位置に対しても、待機や進め等の複数段階の指示を外部表示手段で外部表示し、エスカレータの降口の台に乗り移るタイミングを知らせてなることを特徴とする。【選択図】図１
2006143412.tif 000002
【特許請求の範囲】
【請求項１】
エスカレータの乗口の台から外部に現れるステップの位置に対して、待機や進め等の複数段階の指示を外部表示手段で外部表示し、エスカレータの乗口の台から徐々に全長が現れて第１段となるステップに乗るタイミングを知らせてなることを特徴とするエスカレータ乗降用支援装置。
【請求項２】
エスカレータの降口の台に向かって進行し内部に収納されるステップの位置に対して、待機や進め等の複数段階の指示を外部表示手段で外部表示し、エスカレータの降口の台に徐々に全長が収納される最終段となるステップから降りるタイミングを知らせてなることを特徴とするエスカレータ乗降用支援装置。
【請求項３】
外部表示手段が光と音を表示する手段からなっており、エスカレータの乗口の台または降口の台の近傍の欄干部分に設けられていることを特徴とする請求項１または２に記載のエスカレータ乗降用支援装置。
【請求項４】
外部表示手段が、使用者が乗る第１段目のステップ上に、待機や進め等の指示を示す所定の色彩の光をスポットライトのように集中照明することを特徴とする請求項１または２に記載のエスカレータ乗降用支援装置。
【発明の詳細な説明】
【技術分野】
【０００１】
本発明は、乗降口からエスカレータに乗降する際に、乗り降りするタイミングを光と音で知らせる乗降用支援装置に関するものである。
【背景技術】
【０００２】
従来、例えば特公平４−７９９５４号の乗客コンベアにおいては、視覚表示体を透明欄干パネルの内側上方に取付け、照明装置を透明欄干パネルの外側に視覚表示体と重なるように取付け、さらに聴覚表示体を照明装置内に設置して音声を透明欄干パネルの内側の内側に伝えるようにした構成が知られている。
この構成では、どのように視覚と聴覚に外部表示を行うかについては開示されていない。
一方、実開平３−４４１７８号では、下階の階段形成部の内側に進行方向手前から危険色、注意色、安全色の順に色分けしたランプ群を設けたエスカレータの構成が開示されている。
この発明では、階段形成部を３領域に手前から順次、危険色のランプ群、注意色のランプ群、安全色のランプ群に色分けしており、水平移行部から階段形成部に入る際に乗客が不注意でつまずいたり転倒する事故を防止するが、エスカレータに乗る際、または降りる際には役立たない。
また実開昭６２−１９１７８０号の乗客コンベア装置は、多数の踏盤に複数の穴をあけ、これらの穴を透孔性部材で覆って、搬送路の全長方向全体に亘って乗降口に近い部分と中間部で互いに異なった色の光の発する照明器具を適宜の間隔で配設した構成からなっているが、エスカレータに乗る際、または降りる際にガイドする機能はない。
そのため、子供や老人、障害を持つ人にとっては、エスカレータのステップに乗るタイミング、または降りるタイミングが分からず、一人での乗降は危険であった。
【０００３】
【特許文献１】特公平４−７９９５４号公報  第１図参照
【特許文献２】実開平３−４４１７８号公報  第２図参照
【発明の開示】
【発明が解決しようとする課題】
【０００４】
この発明が解決しようとする課題は、エスカレータへの乗降のタイミングを外部表示手段で利用者に知らせて、利用者が安全にエスカレータに乗降することができるようにしたエスカレータ乗降用支援装置を提供することにある。
【課題を解決するための手段】
【０００５】
この発明は、上記課題を解決するために、
請求項１の発明では、
エスカレータの乗口の台から外部に現れるステップの位置に対して、待機や進め等の複数段階の指示を外部表示手段で外部表示し、エスカレータの乗口の台から徐々に全長が現れて第１段となるステップに乗るタイミングを知らせてなることを特徴とする。
また、請求項２の発明では、
エスカレータの降口の台に向かって進行し内部に収納されるステップの位置に対して、待機や進め等の複数段階の指示を外部表示手段で外部表示し、エスカレータの降口の台に徐々に全長が収納される最終段となるステップから降りるタイミングを知らせてなることを特徴とする。
また、請求項３の発明では、
前記外部表示手段が光と音を表示する手段からなっており、エスカレータの乗口の台または降口の台の近傍の欄干部分に設けられていることを特徴とする。
更に、請求項４の発明では、
前記外部表示手段が、使用者が乗る第１段目のステップ上に、待機や進め等の指示を示す所定の色彩の光をスポットライトのように集中照明することを特徴とする。
【発明の効果】
【０００６】
この発明では、外部表示手段によって、利用者にエスカレータの乗るタイミングまたはエスカレータから降りるタイミングを外部表示することで、利用者は一人でも安全にエスカレータの乗り降りをすることができる。
【発明を実施するための最良の形態】
【０００７】
この発明では、待てや進め等の複数段階の指示を外部表示手段で外部表示し、エスカレータの乗口の台から徐々に全長が現れて第１段となるステップに乗るタイミングを知らせという目的を実現した。
以下に、この発明のエスカレータ乗降用支援装置について図面を参照しながら説明する。
【実施例１】
【０００８】
エスカレータ乗降用支援装置１は、一例を示すと、ステップ５の位置を検出するステップ位置センサ１Ａと、ステップ５の位置から後述のポイント位置を判定するポイント判定手段１Ｂと、判定されたポイント位置からどのようなエリアかを判定し照明手段６や音声手段７等の外部表示手段を制御する表示制御手段１Ｃとからなっている（図９参照）。
また、本装置稼働の前提としてエスカレータの利用者検知手段や手動スイッチなどの稼働検出手段１Ｄを設けてもよい。
また、この実施例で用いるエスカレータ２の構造は、左右に設けられた一対の欄干４と、欄干４の間を直進して循環する多数の連続するステップ５とからなる公知構成からなっている。
【０００９】
図１〜図４では、エスカレータ乗降用支援装置１が、エスカレータ２の乗口３に設けられた場合について説明する。
この装置１では、エスカレータ２の乗口３の台（デッキカバー）３ａから徐々に外に現れて利用者が乗ろうとしている、または乗ったステップ５−１の位置を複数段階（本実施例では三段階）に分ける。
例えば、図１の手前、即ち、図４の位置で、前記乗口３の台３ａからステップ５−１の１つ前の踏み板５−２の全長が完全に現れた場合を第１ポイントと設定し、図２の位置の手前で第１ポイントから前記ステップ５−１が短い中途位置（例えば全長の１／２）まで現れた場合を第２ポイントと設定し、図３の手前で第２ポイントから前記ステップ５−１が長い中途位置（例えば全長の２／３）まで現れた場合を第３ポイントに設定する。
【００１０】
そして、図１で示す第１ポイントを過ぎて第２ポイント直前までを「危険」エリアとする。
また、図２で示す第２ポイントを過ぎて、第３ポイントの直前までを「注意」エリアとする。
また、図３で示す第３ポイントを過ぎて、図４の第１ポイントまでを「進め」エリアとする。
【００１１】
一方、外部表示手段としては、光を発する照明手段６と、音や音声を発する音声手段７とが設けられており、それぞれ各エリアに対応して表示されるパターンが設定される。
例えば、照明手段６では、「赤色」「橙色」「緑色」の三色を表示する。
ここで、照明手段６はスポットライトのような集中照明を行うものであって、欄干４に内蔵されており、利用者が乗ろうとする第１段目のステップに相当する照明エリアＡに向けて照明を照射する。
【００１２】
ここで、前記エスカレータのステップの照明エリアに相当する個所には、前記集中照明の色が明瞭に表現されるような白色などの明度の高い色の塗装や塗料を塗布しておいてもよい。あるいは、光の反射率の高い塗装や塗料を塗布してもよいし、表面処理によるものでもよい。
図示例では、例えば各ステップ５の左側半分に彩色を施しておくことで、前記照明が照射された場合に、その照明の色が判別しやすくなる。
上記塗装や塗料は、図示しないが、ステップ５の全面に施すものでもよいし、あるいはステップ５の周囲を囲むラインや、ステップ上の図形や模様として表現してもよい。
【００１３】
このように、利用者は、繰り出されるステップ５を見ることで、そのステップ５上の所定の照明エリアＡ上に、赤色や橙色や緑色の照明が交代に照射されるのを、見ることができる。
次に、音声手段７も欄干４に内蔵しており、「待って」「用意」「ハイどうぞ」のような音声や、３段階のシグナル音などを表示する。
【００１４】
この照明手段６や音声手段７のパターンは、それぞれ予め設定された前記３つのエリアに対応して同期して表示されるようになっている。
例えばステップ５−１が、図１から図２にいたる危険エリアにある時は、照明手段６では「赤色」が照明エリアＡ上に照射され、音声手段７では「待って」の音声や、短い間隔のシグナル音が同時に表示される。
【００１５】
次にステップ５−１が、図２から図３にいたる注意エリアにある時は、照明手段６では「橙色」が照明エリアＡ上に照射され、音声手段７では「用意」の音声ややや長い間隔のシグナル音が同時に表示される。
そしてステップ５−１が、図３から図４にいたる進めエリアにある時は、照明手段６では「青色」が照明エリアＡ上に照射され、音声手段７では「ハイどうぞ」の音声や通行用のシグナル音や無音が同時に表示される。
【００１６】
このようにして、利用者は、エスカレータ２の乗口３の台３ａから外部に徐々に現れてくるステップ５−１に乗り移るタイミングを前記照明手段６や音声手段７から受ける視覚と聴覚によって認識し、実行することができる。
【００１７】
前記照明手段６や音声手段７の構成は、特に限定されず、また、エスカレータの利用者（乗客）が容易に認識しうる位置に設けられればよい。
例えば、従来例で開示したように、乗口３の近傍の欄干パネル８に設けたり、乗口３の台３ａから現れるステップ５−１の真下やその近傍の下部に照明手段６を設けてステップ５とライザ５ａの隙間や、ステップ５と欄干パネル（スカートカーテン）の間から照明させたり、あるいはステップ５に透光部を設けて、その下方に設置した照明手段６の色を変えてステップの透光部から異なる色の照明を表示するなどの公知の構成を採ることができる。
【実施例２】
【００１８】
上記実施例では、エスカレータ２に乗る際について説明したが、エスカレータ２から降りる際においてもほぼ同様の構成を採ることができる。
図５〜図７では、エスカレータ乗降用支援装置１が、エスカレータ２の降口９に設けられた場合について説明する。
この場合、エスカレータ２の降口９の台９ａまたはその近傍に前記照明手段６や音声手段７を設けておく。
また、降口９の台９ａ上の照明エリアＢには、前記実施例のように照明の色が明確に分かりやすくなる色の塗装や塗料の塗布を行ってもよい。あるいは、光の反射率の高い塗装や塗料を塗布してもよいし、表面処理によるものでもよい。
【００１９】
これにより、利用者がエスカレータ２のステップ５−１から降口９の台９ａに乗り移るタイミングを認識させ、安全に乗り移らせることができる。
ここで、照明手段６は、スポットライトのような集中照明を行うものであって、図示例では欄干４に内蔵されており、利用者が降りようとする降口９の台９ａ上の照明エリアＢに向けて照明を照射する。
照明手段６は、ステップ５−１が前記台９ａに近づくに従って、照明エリアＢに「赤色」、「橙色」、「緑色」に変化する照明を照射し、また同時に音声手段７によって「待って」、「用意」、「ハイどうぞ」のような音声やシグナルの表示を行うようになっている。
【００２０】
図中、ステップ５−１は利用者が乗っているステップを示す。
そして切替パターンの一例を挙げれば、図５に示すように、利用者が乗っているステップ５−１の１つ前のステップ５−２の先端が台９ａに接するポイントＡまでを危険エリアとして照影手段６では照明エリアＢに赤色を照射し、「待って」の音声やシグナルが発せられる。
【００２１】
次に、ポイントＡを超えて、図６に示すように、１つ前のステップ５−２の半分までが台９ａの内側に入るポイントＢから注意エリアとなり、照明手段６は橙色の照明を照明エリアＢに照射し、音声手段７から「用意」の音声やシグナルが発せられる。
そして、図７に示すように、１つ前のステップ５−２が全て台９ａの内側に入り、利用者が乗っているステップ５−１の先端が台９ａに接するポイントＣから進めエリアとなり、照明手段６は緑色の照明を照明エリアＢに照射し、音声手段７から「ハイどうぞ」の音声やシグナルが発せられる。
【００２２】
これにより、利用者は、エスカレータ２から降口９の台９ａに安全、確実に乗り移ることができる。
また、上記実施例では、上昇するエスカレータについての乗降用支援について説明したが、下降するエスカレータについても、上記実施例と同様の構成により実施することができる。
この場合の差異はエスカレータの進行方向だけであるので、その説明を省略する。
【００２３】
このようにして、誰でも、安全、且つ確実に、乗口の台からエスカレータのステップに乗り移り、またこのステップから降口の台に乗り移ることができる。
この発明で、前記乗降用支援装置１は常時作動するものでもよいし、あるいは図示しないセンサにより利用者が乗口３まで入ったことを感知すると作動するようにしてもよい。
または手動スイッチにより、必要に応じて作動させるようにしてもよい。
【００２４】
また、前記実施例では、利用者が乗ろうとする１つのステップの位置に応じて各ポイントを３段階に分けたが、複数のステップが進んでいく中で、ポイントを分けるようにしてもよい。
またポイントの数は、２つでも、あるいは３つ以上でもよく、エスカレータのスピードや利用者に応じて適宜設定することができる。
なおステップの位置の検出は、公知の位置検出センサを用いてもよいし、エスカレータの速度が一定の場合には、そのスピードに応じた時間によって設定されるものであってもよい。
【００２５】
また、この発明では、乗降用支援装置は、乗用だけ、あるいは降用だけに用いるものでも、乗降双方に用いるものであってもよい。
更に、照明手段や音声手段は、要するに利用者に注意を喚起し、乗り降りするタイミングを認識される光や音を表示するもので有れば公知の種々構成を用いることができる。
例えば、図８の照明手段は、前記降口９の台９ａの内部に照明部１９を内蔵しており、信号のように下から台９ａを照明する構成からなっている。
その他、要するにこの発明の要旨を変更しない範囲で種々設計変更しうること勿論である。
【図面の簡単な説明】
【００２６】
【図１】（ａ）は乗口から乗り移り用のステップの第１ポイントを示す側面から見た要部断面図、（ｂ）は同要部平面図である。
【図２】（ａ）は乗口から乗り移り用のステップの第２ポイントを示す側面から見た要部断面図、（ｂ）は同要部平面図である。
【図３】（ａ）は乗口から乗り移り用のステップの第３ポイントを示す側面から見た要部断面図、（ｂ）は同要部平面図である。
【図４】（ａ）は乗口から乗り移り用のステップの第１ポイント直前を示す側面から見た要部断面図、（ｂ）は同要部平面図である。
【図５】ステップから降口への乗り移り用のポイントＡを示す要部平面図である。
【図６】ステップから降口への乗り移り用のポイントＢを示す要部平面図である。
【図７】ステップから降口への乗り移り用のポイントＣを示す要部平面図である。
【図８】照明手段の異なる例を示したステップから降口への乗り移り用のポイントＣを示す要部平面図である。
【図９】乗降用支援装置のブロック図である。
【符号の説明】
【００２７】
１    乗降用支援装置
２    エスカレータ
３    乗口
３ａ  台（デッキ）
４    欄干
５    ステップ
６    照明手段
７    音声手段
８    欄干パネル
９    降口
９ａ  台（デッキ）  
【図１】
2006143412.tif 000003
【図２】
2006143412.tif 000004
【図３】
2006143412.tif 000005
【図４】
2006143412.tif 000006
【図５】
2006143412.tif 000007
【図６】
2006143412.tif 000008
【図７】
2006143412.tif 000009
【図８】
2006143412.tif 000010
【図９】
2006143412.tif 000011